(57)【要約】【課題】画像の変倍率に係らず、一定品質以上の印刷画像を得ること。【解決手段】ドキュメントを描画して印刷するシステムにおいて、作成したドキュメントのサイズと印刷サイズ、印刷品位、メディア種などの印刷設定条件に従って、印刷時の拡大方法を自動的に切替えて、印刷を行う構成により、変倍率に依存しない印刷結果を得ることができる構成である。【選択図】        図１
2004188718.tif 000002
【特許請求の範囲】
【請求項１】
ドキュメントを描画して印刷する印刷システムにおいて、作成ドキュメントサイズ、印刷設定条件に従って印刷時の拡大方法を自動的に決定し、印刷を行うことを特徴とする印刷方法。
【請求項２】
請求項１において、該印刷設定条件は、印刷用紙サイズ、印刷メディア、印刷品位であることを特徴とする印刷方法。
【請求項３】
請求項１において、該拡大方法は、画素複製による単純拡大、バイリニア補間による拡大方式、バイキュービック補間による拡大方式であることを特徴とする印刷方法。
【請求項４】
請求項１において、該拡大方法は、印刷メディア、印刷品位から決定される第１の選択方法と、作成ドキュメントサイズと印刷サイズ２つのステップから決定されることを特徴とする印刷方法。
【発明の詳細な説明】
【０００１】
【発明の属する技術分野】
本発明は、作成したドキュメントを印刷時に印刷条件に従って、最適な描画をしてプリンタに印刷するシステムに関するものである。
【０００２】
【従来の技術】
従来の印刷システムでは、作成したドキュメントの用紙サイズ設定と異なる用紙サイズにプリントする場合、ドキュメントサイズを拡大してプリントする必要があった。この拡大に関しては、（１）アプリケーションで事前に拡大方法を設定してドキュメントを拡大し、印刷サイズに合せたサイズのドキュメントを作成した上で等倍印刷する場合（２）アプリケーションから渡されたドキュメントをプリンタドライバで予め決められた拡大方法でプリントサイズに拡大した上でプリンタにデータを転送しプリントする場合（３）プリンタに拡大指示をした上でプリンタ内で印刷データを拡大してプリントする場合
などの方法がとられていた。
【０００３】
【発明が解決しようとする課題】
しかしながら、従来のシステムでは、印刷条件を十分に考慮した形での拡大方法を選択したプリントを行うことが難しく、専門家でなければ拡大方式を決定できないという課題があった。
【０００４】
【課題を解決するための手段】
本発明による印刷システムでは、作成したドキュメントを印刷する場合、作成したドキュメントサイズから印刷用紙サイズへの拡大を最適に行うために、作成したドキュメントをドキュメントサイズから拡大率を決定し、その拡大方法を印刷設定条件に基づいて決定し、拡大処理を行い、作成ドキュメントから印刷用紙サイズに最適な印刷データを作成する。
【０００５】
【発明の実施の形態】
以下、本発明の実施形態について、添付図面を参照して詳細に説明する。
【０００６】
（第１の実施例）
図１は第１の実施例を説明する最も特徴をよく示した図である。１０１は作成ドキュメントで、１０２はこのドキュメントを作成する際のドキュメントサイズなどの作成条件を示すドキュメント情報、１０３は作成したドキュメントを印刷するための条件である印刷サイズなど印刷設定条件であり、印刷サイズ、印刷品位、出力メディアなどから構成される。１０４は作成ドキュメントを印刷する際の拡大方法テーブルであり、画素複製による拡大、バイリニア補間による拡大、バイキュービック補間による拡大から構成される。１０５はドキュメント情報１０２、印刷設定条件１０３および拡大方法テーブル１０４から拡大方法を決定し、拡大処理を行い印刷ドキュメントを作成する拡大処理を示す。１０６は作成ドキュメント１０１を拡大処理１０５により拡大し印刷データを作成した印刷ドキュメントである。
【０００７】
図２は拡大方法の選択方法１を示す図である。拡大方法は２つのステップで決定される。選択方法１はその第１ステップである。印刷設定条件１０３として設定された条件のうち印刷品位と出力メディアの関係から図２の選択方法１で決定する。本実施例では、印刷設定条件１０２のうち印刷品位はドラフトモード、普通品位モードおよび高品位モードの３つのモードから構成される。出力メディアは普通紙、高品位用紙および写真用紙で構成される。ただし、普通紙ではその用途から高品位モードはないものとする。また写真用紙もその用途からドラフトモードはないものとする。
【０００８】
普通紙の場合、ドラフトモードはステップＳ００１より拡大方法１に決定する。普通品位モードはステップＳ００２から拡大方法１または拡大方法２から選択する。選択は選択方法２により決定する。選択方法２については図３の拡大方法の選択方法２のフローチャートで後で説明する。
【０００９】
高品位用紙の場合、ドラフトモードはステップＳ０１１、普通品位モードはステップＳ０１２で、それぞれ拡大方法１または拡大方法２から拡大方法を選択する。これら２つの拡大方法からの選択は図３の拡大方法の選択方法２のフローチャートで後で説明する。また高品位モードはステップＳ０１３で拡大方法１、拡大方法２または拡大方法３から選択する。これらの拡大方法からの選択は、図４の拡大方法の選択方法３のフローチャートで後で説明する。
【００１０】
写真用紙の場合、普通品位モードはステップＳ０２２で拡大方法１または拡大方法２から選択する。これらの拡大方法の選択は図３の拡大方法の選択方法２のフローチャートで後で説明する。高品位モードはステップＳ０２３で拡大方法１、拡大方法２または拡大方法３から選択する。これらの拡大方法の選択は図４の拡大方法の選択方法３のフローチャートで後で説明する。
【００１１】
図３は拡大方法の選択方法２のフローチャートである。図４は拡大方法の選択方法３のフローチャートである。これらの拡大方法の選択においては、作成ドキュメントの作成ドキュメントサイズと印刷用紙サイズから決定される拡大率によって決定され、その算出式は、拡大率＝印刷用紙サイズ／作成ドキュメントサイズ、である。
【００１２】
選択方法２のフローチャートでは、ステップＳ１０１で拡大率を拡大率１を閾値として比較する。もし拡大率が拡大率１以下のときにはステップＳ１０２で拡大方法１に決定し、拡大率が拡大率１より大きいときにはステップＳ１０３で拡大方法２に決定する。
【００１３】
選択方法３のフローチャートでは、ステップＳ２０１で拡大率を拡大率２と比較し、拡大率２以下のときにはステップＳ２０３で拡大方法１に決定する。もし拡大率が拡大率２より大きいときにはステップＳ２０２で拡大率を拡大率２以上、拡大率３以下であるかを判別し、もし拡大率２以上、拡大率３以下であれば、ステップＳ２０４で拡大方法２に決定する。ステップＳ２０２の判別でＮＯとなった場合、即ち拡大率が拡大率３より大きい場合には、ステップＳ２０５にて拡大方法３に決定する。
【００１４】
上記説明したとおり、図２、図３、図４により拡大方法を決定し、作成ドキュメント１０１から印刷ドキュメント１０６を拡大処理し、印刷データを作成する。
【００１５】
本実施例によれば、作成ドキュメントサイズと印刷用紙サイズと印刷設定条件から拡大処理で使用する拡大方法を決定し、印刷ドキュメントに最適な印刷データを自動的に生成できる特徴がある。
【００１６】
【発明の効果】
本発明によれば、拡大方法を元の作成したドキュメントと印刷するドキュメント間で最適な拡大方法を自動的に決定し、最適な印刷結果を得ることができるといった効果がある。そのため、拡大方法を試行錯誤による決定をする必要がなく、無駄な試し印刷をする必要がなく、用紙節約といった観点からも経済性にも優れている。
【図面の簡単な説明】
【図１】本発明の第１の実施例を説明する拡大方法決定方法の概略図である。
【図２】本発明の第１の実施例を説明する拡大方法の選択方法１の図である。
【図３】本発明の第１の実施例を説明する拡大方法の選択方法２のフローチャートである。
【図４】本発明の第１の実施例を説明する拡大方法の選択方法３のフローチャートである。
【符号の説明】
１０１  作成ドキュメント
１０２  ドキュメント情報
１０３  印刷設定条件
１０４  拡大方式
１０５  拡大処理
１０６  印刷ドキュメント
【図１】
2004188718.tif 000003
【図２】
2004188718.tif 000004
【図３】
2004188718.tif 000005
【図４】
2004188718.tif 000006